【手続補正書】
【提出日】平成23年11月30日(2011.11.30)
【手続補正１】
【補正対象書類名】特許請求の範囲
【補正対象項目名】全文
【補正方法】変更
【補正の内容】
【特許請求の範囲】
【請求項１】
タッチパネルを有し、前記タッチパネルを介してなされたジェスチャ入力を処理する情報処理装置であって、
第１の処理状態において、ユーザからの、第２の処理状態への移行の指示を受け付ける指示受付け手段と、
前記指示受付け手段で受け付けた前記指示に応じて、前記第２の処理状態で受け付けるべきジェスチャ入力の操作回数を設定する設定手段と、
前記指示受付け手段により指示を受け付けた後、前記設定手段で設定された操作回数のジェスチャ入力については、前記第２の処理状態におけるジェスチャ入力として対応する処理を実行し、前記操作回数のジェスチャ入力が行われた後のジェスチャ入力については、前記第１の処理状態におけるジェスチャ入力として対応する処理を実行する処理手段とを備えることを特徴とする情報処理装置。
【請求項２】
前記指示受付け手段は、前記指示として数値の指定を受け付け、
前記設定手段は、前記指示受付け手段が受け付けた数値を前記操作回数に設定することを特徴とする請求項１に記載の情報処理装置。
【請求項３】
前記処理手段は、
前記指示受付け手段による指示の受付けに応じて前記操作回数と同数の、オブジェクトの複製画像を生成し、前記複製画像を同時にまたは順次にディスプレイに表示し、前記複製画像の各々について一つずつのジェスチャ入力を受け付けることを特徴とする請求項１または２に記載の情報処理装置。
【請求項４】
前記複製画像の一つに対する所定のジェスチャ入力に応じて、当該一つの複製画像を破棄して前記操作回数を減少させるキャンセル手段を更に備えることを特徴とする請求項３に記載の情報処理装置。
【請求項５】
所定の指示入力に応じて、前記操作回数のジェスチャ入力が受け付けられたか否かに関わらず前記第２の処理状態を解除して前記第１の処理状態へ戻す解除手段を更に備えることを特徴とする請求項１乃至４のいずれか１項に記載の情報処理装置。
【請求項６】
前記処理手段は、複数の前記複製画像をずらしながら、別のオブジェクトの画像ともずらして前記ディスプレイに表示し、
前記キャンセル手段における前記所定のジェスチャ入力は、前記複製画像を前記別のオブジェクトの画像に整列させる操作であることを特徴とする請求項４に記載の情報処理装置。
【請求項７】
前記処理手段は、複数の前記複製画像をずらしながら前記ディスプレイに表示し、ずらして表示された複数の前記複製画像の１つに対してジェスチャ入力が行われた場合に、当該１つの複製画像とそれよりも前面に重ねて表示されている複製画像の全てに対して、当該ジェスチャ入力に対応する処理を実行することを特徴とする請求項３に記載の情報処理装置。
【請求項８】
前記処理手段は、前記指示受付け手段が受け付けた数値を表示し、ジェスチャが入力される毎に表示される数値を減少させることを特徴とする請求項２に記載の情報処理装置。
【請求項９】
前記第１の処理状態は、ジェスチャ入力による画像閲覧のための画像送り処理を実行している状態であって、
前記第２の処理状態は、ジェスチャ入力による画像の振り分け処理を実行している状態であることを特徴とする請求項１乃至８のいずれか１項に記載の情報処理装置。
【請求項１０】
前記第１の処理状態は、画像を保存するか否かの選択を行なう処理を実行している状態であって、
前記第２の処理状態は、ジェスチャ入力による画像へのメタデータを付与する処理を実行している状態であることを特徴とする請求項１乃至８のいずれか１項に記載の情報処理装置。
【請求項１１】
前記情報処理装置はデジタルカメラの少なくとも一部を構成し、
前記指示は前記デジタルカメラにおける画像認識処理を利用したセルフタイマーにおいて、撮影を開始する人数の指定であり、
前記第２の処理状態は、ジェスチャ入力により前記指示により指定された人数のレイアウトを設定する処理を実行している状態であり、
前記第１の処理状態は、ジェスチャ入力により焦点の位置を指定する処理を実行している状態であることを特徴とする請求項１乃至８のいずれか１項に記載の情報処理装置。
【請求項１２】
タッチパネルを有し、前記タッチパネルを介してなされたジェスチャ入力を処理する情報処理装置による情報処理方法であって、
指示受付け手段が、第１の処理状態において、ユーザからの、第２の処理状態への移行の指示を受け付ける指示受付け工程と、
設定手段が、前記指示受付け工程で受け付けた前記指示に応じて、前記第２の処理状態で受け付けるべきジェスチャ入力の操作回数を設定する設定工程と、
処理手段が、前記指示受付け工程により指示を受け付けた後、前記設定工程で設定された操作回数のジェスチャ入力については、前記第２の処理状態におけるジェスチャ入力として対応する処理を実行し、前記操作回数のジェスチャ入力が行われた後のジェスチャ入力については、前記第１の処理状態におけるジェスチャ入力として対応する処理を実行する処理工程とを有することを特徴とする情報処理方法。
【請求項１３】
請求項１２に記載の情報処理方法をコンピュータに実行させるコンピュータプログラム。
【請求項１４】
請求項１２に記載の情報処理方法をコンピュータに実行させるコンピュータプログラムを格納したコンピュータ読み取り可能な記憶媒体。
【手続補正２】
【補正対象書類名】明細書
【補正対象項目名】０００７
【補正方法】変更
【補正の内容】
【０００７】
上記の目的を達成するための本発明の一態様による情報処理装置は以下の構成を備える。すなわち、
タッチパネルを有し、前記タッチパネルを介してなされたジェスチャ入力を処理する情報処理装置であって、
第１の処理状態において、ユーザからの、第２の処理状態への移行の指示を受け付ける指示受付け手段と、
前記指示受付け手段で受け付けた前記指示に応じて、前記第２の処理状態で受け付けるべきジェスチャ入力の操作回数を設定する設定手段と、
前記指示受付け手段により指示を受け付けた後、前記設定手段で設定された操作回数のジェスチャ入力については、前記第２の処理状態におけるジェスチャ入力として対応する処理を実行し、前記操作回数のジェスチャ入力が行われた後のジェスチャ入力については、前記第１の処理状態におけるジェスチャ入力として対応する処理を実行する処理手段とを備える。
【手続補正３】
【補正対象書類名】明細書
【補正対象項目名】０００８
【補正方法】変更
【補正の内容】
【０００８】
また、上記の目的を達成するための本発明の他の態様による情報処理方法は、
タッチパネルを有し、前記タッチパネルを介してなされたジェスチャ入力を処理する情報処理装置による情報処理方法であって、
指示受付け手段が、第１の処理状態において、ユーザからの、第２の処理状態への移行の指示を受け付ける指示受付け工程と、
設定手段が、前記指示受付け工程で受け付けた前記指示に応じて、前記第２の処理状態で受け付けるべきジェスチャ入力の操作回数を設定する設定工程と、
処理手段が、前記指示受付け工程により指示を受け付けた後、前記設定工程で設定された操作回数のジェスチャ入力については、前記第２の処理状態におけるジェスチャ入力として対応する処理を実行し、前記操作回数のジェスチャ入力が行われた後のジェスチャ入力については、前記第１の処理状態におけるジェスチャ入力として対応する処理を実行する処理工程とを有する。
【手続補正４】
【補正対象書類名】明細書
【補正対象項目名】００２１
【補正方法】変更
【補正の内容】
【００２１】
次に、ステップＳ２０２において、ジェスチャ受付け部１０４は、ディスプレイ／タッチパネル１０２を介して入力されるジェスチャ入力を受付け可能な状態にして、ジェスチャ入力があるまで待機する。ジェスチャが入力されたら処理はステップＳ２０３へ進む。なお、ジェスチャ入力は、複製画像についても同様に行えるものとする。すなわち、ディスプレイ／タッチパネル１０２の最前面に表示されているオブジェクトが複製であっても無くても、ジェスチャ入力は受け付けられる。